(57)【要約】【課題】基本機能に、電波利用のインターフエース機能を追加して、トナー画像を形成する場合にも、予めアンテナを形成する構成が簡単で、電波の送受信感度が良好で、高品質の画像を形成する低コストの画像形成装置を提供する。【解決手段】トナー画像を被転写体（Ｐ）に転写してトナー画像を形成するトナー画像形成手段１と、上記トナー画像形成手段の一部又は全部を覆う筐体２と、筐体に予め形成されてトナー画像形成に関する入出力電波を送受信する筐体アンテナ３と、上記筐体アンテナに接続されて電波利用のインターフエース手段４に接続する端子５とからなる。【選択図】　　　図１
2004017330.tif 000002
【特許請求の範囲】
【請求項１】
基本機能に電波利用のインターフエース機能を追加してトナー画像の形成が可能な画像形成装置において、トナー画像を被転写体に転写してトナー画像を形成するトナー画像形成手段と、上記トナー画像形成手段の一部又は全部を覆う筐体と、上記筐体に予め形成されてトナー画像形成に関する入出力電波を送受信する筐体アンテナと、上記筐体アンテナに接続されて電波利用のインターフエース手段に接続する端子と、からなることを特徴とする画像形成装置。
【請求項２】
請求項１に記載の画像形成装置において、筐体は、１又は複数の電装基板を包括して収納する電装基板包括用筐体であることを特徴とする画像形成装置。
【請求項３】
請求項２に記載の画像形成装置において、電装基板包括用筐体は、筐体アンテナと電波利用のインターフエース手段を接続する電装基板包括用筐体端子を備えることを特徴とする画像形成装置。
【請求項４】
請求項１、２又は３に記載の画像形成装置において、筐体アンテナは、電装基板包括用筐体の金属部分の電装基板包括用筐体アンテナであることを特徴とする画像形成装置。
【請求項５】
請求項１に記載の画像形成装置において、筐体は、トナー画像形成手段の外周面の全体を覆う外装カバーであることを特徴とする画像形成装置。
【請求項６】
請求項５に記載の画像形成装置において、外装カバーは、筐体アンテナの外側面筐体アンテナと電波利用のインターフエース手段を接続する外側面端子を備えることを特徴とする画像形成装置。
【請求項７】
請求項６に記載の画像形成装置において、外側面筐体アンテナは、外装カバーの外周面の全体を包括する金属材の外周面全体包括筐体アンテナであることを特徴とする画像形成装置。
【請求項８】
請求項７に記載の画像形成装置において、外周面全体包括筐体アンテナは、電波利用のインターフエース手段を接続する外側面端子の外周面全体包括端子を備えることを特徴とする画像形成装置。
【請求項９】
請求項６に記載の画像形成装置において、外側面筐体アンテナは、外装カバーの外側上面の金属材である外側上面筐体アンテナからなることを特徴とする画像形成装置。
【請求項１０】
請求項９に記載の画像形成装置において、外側上面筐体アンテナは、電波利用のインターフエース手段を接続する外側面端子の外側上面端子を備えることを特徴とする画像形成装置。
【請求項１１】
請求項６に記載の画像形成装置において、外側面筐体アンテナは、外装カバーの外側下面の金属材である外側下面筐体アンテナであることを特徴とする画像形成装置。
【請求項１２】
請求項１１に記載の画像形成装置において、外側下面筐体アンテナは、電波利用のインターフエース手段を接続する外側面端子の外側下面端子を備えることを特徴とする画像形成装置。
【請求項１３】
請求項６に記載の画像形成装置において、外側面筐体アンテナは、外装カバーの外側左面の金属材である外側左面筐体アンテナであることを特徴とする画像形成装置。
【請求項１４】
請求項１３に記載の画像形成装置において、外側左面筐体アンテナは、電波利用のインターフエース手段を接続する外側面端子の外側左面端子を備えることを特徴とする画像形成装置。
【請求項１５】
請求項６に記載の画像形成装置において、外側面筐体アンテナは、外装カバーの外側右面の金属材である外側右面筐体アンテナであることを特徴とする画像形成装置。
【請求項１６】
請求項１５に記載の画像形成装置において、外側右面筐体アンテナは、電波利用のインターフエース手段を接続する外側面端子の外側右面端子を備えることを特徴とする画像形成装置。
【請求項１７】
請求項６に記載の画像形成装置において、外側面筐体アンテナは、外装カバーの外側正面の金属材である外側正面筐体アンテナであることを特徴とする画像形成装置。
【請求項１８】
請求項１７に記載の画像形成装置において、外側正面筐体アンテナは、電波利用のインターフエース手段を接続する外側面端子の外側正面端子を備えることを特徴とする画像形成装置。
【請求項１９】
請求項６に記載の画像形成装置において、外側面筐体アンテナは、外装カバーの外側裏面の金属材である外側裏面筐体アンテナであることを特徴とする画像形成装置。
【請求項２０】
請求項１９に記載の画像形成装置において、外側裏面筐体アンテナは、電波利用のインターフエース手段を接続する外側面端子の外側裏面端子を備えることを特徴とする画像形成装置。
【請求項２１】
請求項１乃至２０に何れか一項に記載の画像形成装置において、上記電波利用のインターフエース手段は、筐体アンテナに接続された所定の端子を選択して接続する選択接続手段からなることを特徴とする画像形成装置。
【請求項２２】
請求項２１に記載の画像形成装置において、選択接続手段は、筐体アンテナに接続された所定の端子と着脱するコネクタからなることを特徴とする画像形成装置。
【請求項２３】
請求項１乃至２２に何れか一項に記載の画像形成装置において、筐体アンテナに接続された端子は、接続することにより接続された筐体アンテナの機能を休止するショート端子からなることを特徴とする画像形成装置。
【発明の詳細な説明】
【０００１】
【発明の属する技術分野】
本発明は、画像形成装置に関し、詳しくは、基本機能に電波利用のインターフエース機能を追加してトナー画像の形成が可能な複写機、ファクシミリ装置、プリンタあるいはこれらの複合機等の画像形成装置に関する。
【０００２】
【従来の技術】
昨今の画像形成装置、例えば、レーザープリンターにおいては、ネットワーク機能、ＴＣＰ／ＩＰ等を利用する入出力機構のインターフエースとして、従来の１０ＢＡＳＥ−Ｔ・１００ＢＡＳＥ−Ｔ等と共に、電波利用のインターフエース、所謂、無線ＬＡＮを使用するようにした技術が公知である（特開平１０−２３３９１３号の公報、特開２００２−１１３９２６の公報等を参照）。
従来の画像形成装置に電波利用のインターフエース、所謂、無線ＬＡＮを使用する場合は、従来の画像形成装置に、電波利用のインターフエースの機能を持たせる為に、別体の機器を装置本体外に設置していた。
所謂、無線ＬＡＮを装備した画像形成装置としては、そのアンテナを、電波利用のインターフエース機能自身の、所謂、無線ＬＡＮカード等に持つことが多く、アンテナ自体の位置が画像形成装置の一部分に限定されていた（特開２００２−１１３９２６の公報等を参照）。
その為に、従来の画像形成装置では、電波感度の良好な方向に、装置自体を向けてやる必要が発生したり、電波利用のインターフエースの相手側にあたる、電波利用のインターフエースのハブ（ＨＵＢ）は、必ずしもＬＡＮにおけるハブ（ＨＵＢ）である必要はなく、無線利用のネットワークシステムの位置を、変える必要が発生する煩わしさがあった。
従って、従来の画像形成装置は、基本機能に電波利用のインターフエース機能を追加してトナー画像を形成する場合に、電波感度の良好な方向に、装置自体等の向きを変える操作が煩わしいと言う不具合が生じていた。
【０００３】
【発明が解決しようとする課題】
そこで本発明の課題は、このような問題点を解決するものである。即ち、基本機能に、電波利用のインターフエース機能を追加して、トナー画像を形成する場合にも、予めアンテナを形成する構成が簡単で、電波の送受信感度が良好で、高品質の画像を形成する低コストの画像形成装置を提供することを目的とする。
【０００４】
【課題を解決するための手段】
上記目的を達成するために、請求項１の本発明は、基本機能に電波利用のインターフエース機能を追加してトナー画像の形成が可能な画像形成装置において、トナー画像を被転写体に転写してトナー画像を形成するトナー画像形成手段と、上記トナー画像形成手段の一部又は全部を覆う筐体と、上記筐体に予め形成されてトナー画像形成に関する入出力電波を送受信する筐体アンテナと、上記筐体アンテナに接続されて電波利用のインターフエース手段に接続する端子とからなる画像形成装置であることを最も主要な特徴とする。
請求項２の本発明は、請求項１に記載の画像形成装置において、筐体は、１又は複数の電装基板を包括して収納する電装基板包括用筐体である画像形成装置であること主要な特徴とする。
請求項３の本発明は、請求項２に記載の画像形成装置において、電装基板包括用筐体は、筐体アンテナと電波利用のインターフエース手段を接続する電装基板包括用筐体端子からなる画像形成装置であることを主要な特徴とする。
請求項４の本発明は、請求項１、２又は３に記載の画像形成装置において、筐体アンテナは、電装基板包括用筐体の金属部分の電装基板包括用筐体アンテナである画像形成装置であることを主要な特徴とする。
請求項５の本発明は、請求項１に記載の画像形成装置において、筐体は、トナー画像形成手段の外周面の全体を覆う外装カバーである画像形成装置であることを主要な特徴とする。
【０００５】
請求項６の本発明は、請求項５に記載の画像形成装置において、外装カバーは、筐体アンテナの外側面筐体アンテナと電波利用のインターフエース手段を接続する外側面端子からなる画像形成装置であることを主要な特徴とする。
請求項７の本発明は、請求項６に記載の画像形成装置において、外側面筐体アンテナは、外装カバーの外周面の全体を包括する金属材の外周面全体包括筐体アンテナである画像形成装置であることを主要な特徴とする。
請求項８の本発明は、請求項７に記載の画像形成装置において、外周面全体包括筐体アンテナは、電波利用のインターフエース手段を接続する外側面端子の外周面全体包括端子からなる画像形成装置であることを主要な特徴とする。
請求項９の本発明は、請求項６に記載の画像形成装置において、外側面筐体アンテナは、外装カバーの外側上面の金属材である外側上面筐体アンテナからなる画像形成装置であることを主要な特徴とする。
請求項１０の本発明は、請求項９に記載の画像形成装置において、外側上面筐体アンテナは、電波利用のインターフエース手段を接続する外側面端子の外側上面端子からなる画像形成装置であることを主要な特徴とする。
請求項１１の本発明は、請求項６に記載の画像形成装置において、外側面筐体アンテナは、外装カバーの外側下面の金属材である外側下面筐体アンテナである画像形成装置であることを主要な特徴とする。
請求項１２の本発明は、請求項１１に記載の画像形成装置において、外側下面筐体アンテナは、電波利用のインターフエース手段を接続する外側面端子の外側下面端子からなる画像形成装置であることを主要な特徴とする。
請求項１３の本発明は、請求項６に記載の画像形成装置において、外側面筐体アンテナは、外装カバーの外側左面の金属材である外側左面筐体アンテナである画像形成装置であることを主要な特徴とする。
【０００６】
請求項１４の本発明は、請求項１３に記載の画像形成装置において、外側左面筐体アンテナは、電波利用のインターフエース手段を接続する外側面端子の外側左面端子からなる画像形成装置であることを主要な特徴とする。
請求項１５の本発明は、請求項６に記載の画像形成装置において、外側面筐体アンテナは、外装カバーの外側右面の金属材である外側右面筐体アンテナである画像形成装置であることを主要な特徴とする。
請求項１６の本発明は、請求項１５に記載の画像形成装置において、外側右面筐体アンテナは、電波利用のインターフエース手段を接続する外側面端子の外側右面端子からなる画像形成装置であることを主要な特徴とする。
請求項１７の本発明は、請求項６に記載の画像形成装置において、外側面筐体アンテナは、外装カバーの外側正面の金属材である外側正面筐体アンテナである画像形成装置であることを主要な特徴とする。
請求項１８の本発明は、請求項１７に記載の画像形成装置において、外側正面筐体アンテナは、電波利用のインターフエース手段を接続する外側面端子の外側正面端子からなる画像形成装置であることを主要な特徴とする。
請求項１９の本発明は、請求項６に記載の画像形成装置において、外側面筐体アンテナは、外装カバーの外側裏面の金属材である外側裏面筐体アンテナである画像形成装置であることを主要な特徴とする。
請求項２０の本発明は、請求項１９に記載の画像形成装置において、外側裏面筐体アンテナは、電波利用のインターフエース手段を接続する外側面端子の外側裏面端子からなる画像形成装置であることを主要な特徴とする。
請求項２１の本発明は、請求項１乃至２０に何れか一項に記載の画像形成装置において、上記電波利用のインターフエース手段は、筐体アンテナに接続された所定の端子を選択して接続する選択接続手段からなる画像形成装置であることを主要な特徴とする。
請求項２２の本発明は、請求項２１に記載の画像形成装置において、選択接続手段は、筐体アンテナに接続された所定の端子と着脱するコネクタからなる画像形成装置であることを主要な特徴とする。
請求項２３の本発明は、請求項１乃至２２に何れか一項に記載の画像形成装置において、筐体アンテナに接続された端子は、接続することにより接続された筐体アンテナの機能を休止するショート端子からなる画像形成装置であることを主要な特徴とする。
【０００７】
【作用】
上記のように構成された画像形成装置は、請求項１においては、トナー画像を被転写体に転写してトナー画像を形成するトナー画像形成手段の一部又は全部を覆う筐体に、予め形成されてトナー画像形成に関する入出力電波を送受信する筐体アンテナに接続された端子によって、電波利用のインターフエース手段に接続するようにする。
請求項２においては、トナー画像を被転写体に転写してトナー画像を形成するトナー画像形成手段の一部である１又は複数の電装基板を包括して収納する筐体の電装基板包括用筐体に、予め形成されてトナー画像形成に関する入出力電波を送受信する筐体アンテナに接続された端子を、電波利用のインターフエース手段に接続するようにする。
請求項３においては、トナー画像を被転写体に転写してトナー画像を形成するトナー画像形成手段の一部である１又は複数の電装基板を包括して収納する筐体の電装基板包括用筐体に、予め形成されてトナー画像形成に関する入出力電波を送受信する筐体アンテナに接続された端子の電装基板包括用筐体端子を、電波利用のインターフエース手段に接続するようにする。
請求項４においては、トナー画像を被転写体に転写してトナー画像を形成するトナー画像形成手段の一部又は全部を覆う筐体に、予め形成されてトナー画像形成に関する入出力電波を送受信する筐体アンテナの電装基板包括用筐体の金属部分の電装基板包括用筐体アンテナに接続された端子によって、電波利用のインターフエース手段に接続するようにする。
請求項５においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナに接続された端子によって、電波利用のインターフエース手段に接続するようにする。
請求項６においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナに接続された端子の外側面端子によって、電波利用のインターフエース手段に接続するようにする。
【０００８】
請求項７においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外周面の全体を包括する金属材の外周面全体包括筐体アンテナに接続された端子の外側面端子によって、電波利用のインターフエース手段に接続するようにする。
請求項８においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外周面の全体を包括する金属材の外周面全体包括筐体アンテナに接続された端子の外側面端子の外周面全体包括端子によって、電波利用のインターフエース手段に接続するようにする。
請求項９においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側上面の金属材である外側上面筐体アンテナに接続された端子の外側面端子によって、電波利用のインターフエース手段に接続するようにする。
請求項１０においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側上面の金属材である外側上面筐体アンテナに接続された端子の外側面端子の外側上面端子によって、電波利用のインターフエース手段に接続するようにする。
【０００９】
請求項１１においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側下面の金属材である外側下面筐体アンテナに接続された端子の外側面端子によって、電波利用のインターフエース手段に接続するようにする。
請求項１２においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側下面の金属材である外側下面筐体アンテナに接続された端子の外側面端子の外側下面端子によって、電波利用のインターフエース手段に接続するようにする。
請求項１３においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側左面の金属材である外側左面筐体アンテナに接続された端子の外側面端子によって、電波利用のインターフエース手段に接続するようにする。
請求項１４においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側左面の金属材である外側左面筐体アンテナに接続された端子の外側面端子の外側左面端子によって、電波利用のインターフエース手段に接続するようにする。
【００１０】
請求項１５においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側右面の金属材である外側右面筐体アンテナに接続された端子の外側面端子によって、電波利用のインターフエース手段に接続するようにする。
請求項１６においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側右面の金属材である外側右面筐体アンテナに接続された端子の外側面端子の外側右面端子によって、電波利用のインターフエース手段に接続するようにする。
請求項１７においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側正面の金属材である外側正面筐体アンテナに接続された端子の外側面端子によって、電波利用のインターフエース手段に接続するようにする。
請求項１８においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側正面の金属材である外側正面筐体アンテナに接続された端子の外側面端子の外側正面端子によって、電波利用のインターフエース手段に接続するようにする。
請求項１９においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側裏面の金属材である外側裏面筐体アンテナに接続された端子の外側面端子によって、電波利用のインターフエース手段に接続するようにする。
【００１１】
請求項２０においては、トナー画像を被転写体に転写してトナー画像を形成するトナー画像形成手段の全部の外周面の全体を覆う筐体の外装カバーに、予め形成されてトナー画像形成に関する入出力電波を送受信する筐体アンテナの外側面筐体アンテナの外装カバーの外側裏面の金属材である外側裏面筐体アンテナに接続された端子の外側面端子の外側裏面端子によって、電波利用のインターフエース手段に接続するようにする。
請求項２１においては、トナー画像を被転写体に転写してトナー画像を形成するトナー画像形成手段の一部又は全部を覆う筐体に、予め形成されてトナー画像形成に関する入出力電波を送受信する筐体アンテナに接続された所定の端子を、電波利用のインターフエース手段に選択接続手段によって選択的に接続するようにする。
請求項２２においては、トナー画像を被転写体に転写してトナー画像を形成するトナー画像形成手段の一部又は全部を覆う筐体に、予め形成されてトナー画像形成に関する入出力電波を送受信する筐体アンテナに接続された所定の端子を、電波利用のインターフエース手段に選択接続手段のコネクタを着脱することによって選択的に接続するようにする。
請求項２３においては、トナー画像を被転写体に転写してトナー画像を形成するトナー画像形成手段の一部又は全部を覆う筐体に、予め形成されてトナー画像形成に関する入出力電波を送受信する筐体アンテナに接続された端子によって、電波利用のインターフエース手段に接続すると共に、筐体アンテナに接続された端子はショート端子を接続することにより接続された筐体アンテナの機能を休止するようにする。
【００１２】
【発明の実施の形態】
次に、本発明の実施の形態を図面を参照して詳細に説明する。
図１と図２は本発明の一実施形態に係る画像形成装置の外観図、及び内部構成図であり、同図において、基本機能に電波利用のインターフエース機能を追加してトナー画像の形成が可能な画像形成装置０の画像形成装置０ａは、トナー画像を被転写体（Ｐ）の転写用紙に転写してトナー画像を形成する電子写真方式のトナー画像形成手段１と、上記トナー画像形成手段１の一部、又は、全部を覆う筐体２と、上記筐体２に予め形成されてトナー画像形成に関する入出力電波を送受信する筐体アンテナ３と、上記筐体アンテナ３に接続されて電波利用のインターフエース手段４に接続する端子５とからなり、基本機能に、電波利用のインターフエース機能を追加して、トナー画像を形成する場合にも、予めアンテナを形成する構成が簡単で、電波の送受信感度が良好で、高品質の画像を形成して低コストである。
上記筐体２の電装基板包括用筐体２ａは、トナー画像形成手段１の一部である画像処理用コントローラ基板等の１、又は、複数の電装基板６を覆って包括支持して収納する、その予め形成された金属部分を、基本機能に電波利用のインターフエース機能を追加してトナー画像を形成する場合に、上記筐体アンテナ３の電装基板包括用筐体アンテナ３ａとして、トナー画像形成に関する入出力電波を送受信するアンテナの役割を、兼用する簡単で低コストの構造で果たすようになっている。
電装基板包括用筐体２ａには、電装基板包括用筐体アンテナ３ａと電波利用のインターフエース手段４を接続する電装基板包括用筐体端子５ａが設けられている。
インターフエース手段４は、電装基板包括用筐体端子５ａに、インターフェース手段４に接続された選択接続手段４ａのアンテナコード４ａ２の一端のコネクタ４ａ１を接続する事によって、電装基板包括用筐体アンテナ３ａからトナー画像形成に関する入出力電波を送受信可能となる。
従って、基本機能に、電波利用のインターフエース手段４を追加して、トナー画像を形成する場合にも、予め形成する電装基板包括用筐体２ａの金属部分を電装基板包括用筐体アンテナ３ａと兼用する構成が簡単で、電波の送受信感度が良好で、高品質の画像を形成して更に低コストである画像形成装置０ａを提供することができるようになった。
【００１３】
画像形成装置０ａのトナー画像形成手段１における、像担持体ユニット１ａは、ベルト状像担持体たる可撓性のベルト状感光体であり、像担持体ユニット１ａは、回動ローラ１ａ１、回動ローラ１ａ２間に架設され、画像処理用コントローラ基板等の１、又は、複数の電装基板６や電装ユニット１ｈの電源、及び、制御部により図示しない駆動モータで駆動される回動ローラ１ａ１の回転駆動により、図示の矢印（Ａ）方向の時計方向に搬送される。
像担持体ユニット１ａのベルト状像担持体たる可撓性のベルト状感光体表面は、帯電ユニット１ｂの帯電チャージャによって均一に帯電される。
潜像形成ユニット１ｃは、静電像露光手段たるレーザー書き込み系である。
現像ユニット１ｄは、後述するイエロー、マゼンタ、シアン、黒の現像剤のトナーを有する４つの現像器を一体的に形成したカラー現像装置である。
更に、中間転写ユニット１ｅは、中間転写体たる中間転写ベルトであり、回動ローラ１ｅ１、回動ローラ１ｅ２の間に架設され、上記電装ユニット１ｈの電源、及び、制御部等により回転駆動する図示しない駆動モータで駆動される上記回動ローラ１ｅ１の回転駆動により図示の矢印（Ｂ）の反時計方向に搬送される。上記像担持体ユニット１ａのベルト状感光体と上記中間転写ユニット１ｅの中間転写ベルトは、ベルト状感光体１ａの回動ローラ１ａ２部で接触して、中間転写ベルト１ｅ側には、導電性を有するバイアスローラ１ｅ３が中間転写ベルト裏面に所定の条件で接触している。
【００１４】
ベルト状感光体１ａは、帯電チャージャ１ｂによって均一に帯電された後に、上記潜像形成ユニット１ｃのレーザー書き込み系により、画像情報に基づき走査露光されて表面に静電潜像が形成される。
ここで、露光する画像情報は所望のフルカラー画像をイエロー、シアン、マゼンタ、及び、黒の色情報に分解した単色の画像情報であり、この情報により半導体レーザー（図示せず）で発生されたレーザービーム（Ｌ）は、図示を省略した光学装置により走査、及び、光路調整されたものである。
ここで、形成された静電潜像は、後述する現像ユニット１ｄの回転型現像装置により各々所定のイエロー、シアン、マゼンタ、及び、黒トナーで各々単色現像され、ベルト状感光体１ａ上に各々の色画像が順次形成される。
図示の矢印（Ａ）方向に回動するベルト状感光体１ａ上に形成された各単色画像像は、ベルト状感光体１ａと同期して図示の矢印（Ｂ）方向に回動する中間転写ベルト１ｅ上に、イエロー、シアン、マゼンタ、及び、黒の単色毎に、バイアスローラ１ｅ３に印加された所定の転写バイアスにより順次重ね転写される。
中間転写ベルト１ｅ上に重ね合わされたイエロー、シアン、マゼンタ、及び、黒のトナー画像は、給紙台１ｉの給紙カセットから給紙ローラ１ｉ１、搬送ローラ対１ｉ２、レジストローラ対１ｉ３を経て転写部へ搬送された被転写体（Ｐ）の転写用紙上に転写ローラ１ｅ４により一括転写される。
転写終了後、被転写体（Ｐ）の転写用紙は、定着ユニット１ｆにより定着されて、フルカラー画像が完成し、排紙ローラ対１ｊを経て排紙スタック１ｋに収納される。
クリーニングユニット１ｇの像担持体クリーニングユニット１ｇ１は、ベルト状感光体１ａに常時当接し、ベルト状感光体１ａ上のトナーをクリーニングするクリーニングブレード１ｇ１１を含むクリーニング装置、及び、廃棄トナー回収用器である。
中間クリーニングユニット１ｇ２は、中間転写体たる中間転写ベルトのクリーニング装置で、クリーニングブレード１ｇ２１は、トナー画像形成動作中には中間転写ベルト１ｅ表面から離間した位置に保持され、トナー画像形成像が被転写体（Ｐ）の転写用紙上に転写された後に中間転写ベルト１ｅ表面に当接される。中間転写ベルト１ｅ上よりクリーニングブレード１ｇ２１によって掻き取られた廃棄トナーは、クリーニング装置１ｇ２２内に設けられたオーガ１ｇ２３により、図面手前方向に搬送され、更に、プロセスカートリッジ１ｌ手前側面に設けられた、図示を省略した搬送部により廃棄トナー回収用器１ｇ３に搬送される。所定量以上の廃棄トナーが廃棄トナー回収用器１ｇ３内に収容された時点でプロセスカートリッジ１ｌに対し交換することより、プロセスカートリッジ１ｌの長寿命化が図られる。
又、ベルト状感光体１ａ、帯電ユニット１ｂの帯電チャージャ、中間転写ベルト１ｅ、像担持体クリーニングユニット１ｇ１と中間クリーニングユニット１ｇ２は、プロセスカートリッジ１ｌとして一体的に構成され、上記廃棄トナー回収用器１ｇ３は、上記プロセスカートリッジ１ｌに対して交換可能に組み込まれる。上記プロセスカートリッジ１ｌの上記レジストローラ１ｉ３側のケース外装部分は、被転写体（Ｐ）の転写用紙搬送ガイドとしての機能も備えている。
【００１５】
画像形成装置本体０ａの構造としては、不動部筐体たる本体フレーム０ａ１と、被転写体（Ｐ）の転写用紙の搬送経路が解放可能な前部筐体たる前フレーム０ａ２によって構成され、本体フレーム０ａ１の下部には、給紙台１ｉの給紙カセットを配置し、内部に現像ユニット１ｄのカラー現像装置、プロセスカートリッジ１ｌを交換可能に配置し、更に、その上方に、定着装置ユニット１ｆを配置し、上記排紙スタック１ｋが形成される。
前フレーム０ａ２は、本体フレーム０ａ１に設けられた図示しない回転支持軸を中心に開閉回動可能に支持され、通常は図示の如く、本体フレーム０ａ１に対し閉じた状態で保持される。
被転写体（Ｐ）の搬送経路内に転写用紙ジャムが発生した場合には、図示しない前フレームロック機構を解除し、図示の矢印（Ｃ）方向に上記前フレーム０ａ２を解放する。
上記前フレーム０ａ２には、被転写体（Ｐ）の搬送経路内の一部を構成する上記搬送ローラ対１ｉ２、上記レジストローラ対１ｉ３、上記転写ローラ１ｅ４等が保持されており、上記前フレーム０ａ２を解放することにより、被転写体（Ｐ）の搬送経路が露出し、容易にジャム処理が行える。
この際に、他の作像系ユニットは不動であり、トナーの飛散や、漏洩等による不具合が発生しない。
【００１６】
図３は本発明の他の実施形態に係る画像形成装置の外観図であり、同図において、基本機能に電波利用のインターフエース機能を追加してトナー画像の形成が可能な画像形成装置０の画像形成装置０ｂは、トナー画像を被転写体（Ｐ）に転写してトナー画像を形成する電子写真方式のトナー画像形成手段１と、トナー画像形成手段１を覆う筐体２の外装カバー２ｂと、外装カバー２ｂに予め形成されてトナー画像形成に関する入出力電波を送受信する筐体アンテナ３の外側面筐体アンテナ３ｂの外周面全体包括筐体アンテナ３ｂ０と、外側面筐体アンテナ３ｂの外周面全体包括筐体アンテナ３ｂ０に接続されて電波利用のインターフエース手段４に接続する端子５の外側面端子５ｂの外周面全体包括端子５ｂ０とからなり、基本機能に、電波利用のインターフエース機能を追加して、トナー画像を形成する場合にも、予め形成する構成が簡単で、全方位の電波に対しての送受信感度が更に良好で、高品質の画像を形成して低コストである。
上記画像形成装置０ｂにおける上記トナー画像形成手段１の構成と動作等は、上記画像形成装置０ａにおける上記トナー画像形成手段１と同様であり、その説明が重複するので、以下の説明は省略する。
筐体２の外装カバー２ｂは、トナー画像形成手段１の外周面全体を覆って包括支持して収納する、その予め形成された外周面２ｂ１の全体を取り巻く金属部分を、基本機能に電波利用のインターフエース機能を追加してトナー画像を形成する場合に、外側面筐体アンテナ３ｂの外周面全体包括筐体アンテナ３ｂ０として、トナー画像形成に関する入出力電波を送受信するアンテナの役割を、兼用する簡単で低コストの構造で果たすようになっている。
外装カバー２ｂには、外周面全体包括筐体アンテナ３ｂ０と電波利用のインターフエース手段４を接続する外周面全体包括端子５ｂ０が設けられている。
インターフエース手段４は、外周面全体包括端子５ｂ０に、インターフエース手段４に接続されたアンテナコード４ａ２の一端のコネクタ４ａ１を接続する事によって、筐体アンテナ３の外側面筐体アンテナ３ｂの外周面全体包括筐体アンテナ３ｂ０からトナー画像形成に関する入出力電波を送受信可能となる。
従って、基本機能に、電波利用のインターフエース手段４を追加して、トナー画像を形成する場合にも、予め形成する筐体２の外装カバー２ｂの外周面２ｂ１の全体を取り巻く金属部分を外周面全体包括筐体アンテナ３ｂ０と兼用する構成が簡単で、全方位の電波に対しての送受信感度が、更に、良好で、高品質の画像を形成して低コストである画像形成装置０ｂを提供することができるようになった。
【００１７】
図４は本発明の他の実施形態に係る画像形成装置の外観図であり、同図において、基本機能に電波利用のインターフエース機能を追加してトナー画像の形成が可能な上記画像形成装置０の画像形成装置０ｃは、トナー画像を被転写体（Ｐ）に転写してトナー画像を形成する電子写真方式のトナー画像形成手段１と、トナー画像形成手段１を覆う外側上面２ｂ１１、外側下面２ｂ１２、外側左面２ｂ１３、外側右面２ｂ１４、外側正面２ｂ１５、外側裏面２ｂ１６と、外側上面２ｂ１１、外側下面２ｂ１２、外側左面２ｂ１３、外側右面２ｂ１４、外側正面２ｂ１５、外側裏面２ｂ１６に予め形成されてトナー画像形成に関する入出力電波を送受信する外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６と、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６に接続されて電波利用のインターフエース手段４に接続する外側上面端子５ｂ１、外側下面端子５ｂ２、外側左面端子５ｂ３、外側右面端子５ｂ４、外側正面端子５ｂ５、外側裏面端子５ｂ６と、感度の良い方位の外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６に接続された所定の外側上面端子５ｂ１、外側下面端子５ｂ２、外側左面端子５ｂ３、外側右面端子５ｂ４、外側正面端子５ｂ５、外側裏面端子５ｂ６を選択して接続する選択接続手段４ａとからなり、基本機能に、電波利用のインターフエース機能を追加して、トナー画像を形成する場合にも、予め形成する構成が簡単で、何れか選択した感度の良い方位からの電波に対しての送受信感度が、更に、良好で、高品質の画像を形成して低コストである。
トナー画像形成手段１の構成と動作等は、上記トナー画像形成手段１と同様であり、その説明が重複するので、以下の説明は省略する。
【００１８】
外側上面２ｂ１１、外側下面２ｂ１２、外側左面２ｂ１３、外側右面２ｂ１４、外側正面２ｂ１５、外側裏面２ｂ１６は、トナー画像形成手段１の外周面を覆って包括支持して収納する、その予め形成された各外側上面２ｂ１１、外側下面２ｂ１２、外側左面２ｂ１３、外側右面２ｂ１４、外側正面２ｂ１５、外側裏面２ｂ１６の金属部分を、基本機能に電波利用のインターフエース機能を追加してトナー画像を形成する場合に、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６として、トナー画像形成に関する入出力電波を送受信するアンテナの役割を、兼用する簡単で低コストの構造で果たすようになっている。
外装カバー２ｂには、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６と電波利用のインターフエース手段４を接続する外側上面端子５ｂ１、外側下面端子５ｂ２、外側左面端子５ｂ３、外側右面端子５ｂ４、外側正面端子５ｂ５、外側裏面端子５ｂ６が設けられている。
電波利用のインターフエース手段４は、感度の良い方位の外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６に接続された所定の外側上面端子５ｂ１、外側下面端子５ｂ２、外側左面端子５ｂ３、外側右面端子５ｂ４、外側正面端子５ｂ５、外側裏面端子５ｂ６に、電波利用のインターフエース手段４に接続されたアンテナコード４ａ２の一端のコネクタ４ａ１を選択して接続する事によって、外側面筐体アンテナ３ｂの外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、又は、外側裏面筐体アンテナ３ｂ６からトナー画像形成に関する、感度の良い入出力電波を選択して送受信が可能となる。
従って、基本機能に、電波利用のインターフエース手段４を追加して、トナー画像を形成する場合にも、予め形成する上記筐体２の上記外装カバー２ｂの上記外周面２ｂ１の外側上面２ｂ１１、外側下面２ｂ１２、外側左面２ｂ１３、外側右面２ｂ１４、外側正面２ｂ１５、外側裏面２ｂ１６の金属部分を、感度の良い方位の外側面筐体アンテナ３ｂの外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、又は、外側裏面筐体アンテナ３ｂ６を選択して兼用する構成が簡単で、感度の良い入出力電波を選択して送受信感度が、更に、良好で、高品質の画像を形成して低コストである上記画像形成装置０ｃを提供することができるようになった。
【００１９】
図５において、基本機能に電波利用のインターフエース機能を追加してトナー画像の形成が可能な上記画像形成装置０の画像形成装置０ｄは、トナー画像を被転写体（Ｐ）に転写してトナー画像を形成する電子写真方式の上記トナー画像形成手段１と、上記トナー画像形成手段１を覆う上記筐体２の上記電装基板包括用筐体２ａ、上記外装カバー２ｂの上記外周面２ｂ１の全体、外側上面２ｂ１１、外側下面２ｂ１２、外側左面２ｂ１３、外側右面２ｂ１４、外側正面２ｂ１５、外側裏面２ｂ１６と、電装基板包括用筐体２ａ、外周面２ｂ１の全体、外側上面２ｂ１１、外側下面２ｂ１２、外側左面２ｂ１３、外側右面２ｂ１４、外側正面２ｂ１５、外側裏面２ｂ１６に予め形成されてトナー画像形成に関する入出力電波を送受信する電装基板包括用筐体アンテナ３ａ、外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６と、上記筐体アンテナ３の上記電装基板包括用筐体アンテナ３ａ、外側面筐体アンテナ３ｂの上記外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６に接続されて上記電波利用のインターフエース手段４に接続する上記端子５の電装基板包括用筐体端子５ａ、外側面端子５ｂの上記外周面全体包括端子５ｂ０、外側上面端子５ｂ１、外側下面端子５ｂ２、外側左面端子５ｂ３、外側右面端子５ｂ４、外側正面端子５ｂ５、外側裏面端子５ｂ６と、上記筐体アンテナ３の上記電装基板包括用筐体アンテナ３ａ、外側面筐体アンテナ３ｂの上記外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、外側裏面筐体アンテナ３ｂ６に接続された上記端子５の電装基板包括用筐体端子５ａ、外側面端子５ｂの上記外周面全体包括端子５ｂ０、外側上面端子５ｂ１、外側下面端子５ｂ２、外側左面端子５ｂ３、外側右面端子５ｂ４、外側正面端子５ｂ５、外側裏面端子５ｂ６とからなる。
上記端子５の電装基板包括用筐体端子５ａ、外側面端子５ｂの上記外周面全体包括端子５ｂ０、外側上面端子５ｂ１、外側下面端子５ｂ２、外側左面端子５ｂ３、外側右面端子５ｂ４、外側正面端子５ｂ５、又は、外側裏面端子５ｂ６は、ショート端子７を接続して短絡することにより、接続された電装基板包括用筐体アンテナ３ａ、外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、又は、外側裏面筐体アンテナ３ｂ６の機能を分離したり、融合することで無効にして休止するようになっている。
【００２０】
上記画像形成装置０ｄにおける上記トナー画像形成手段１の構成と動作等は、上記画像形成装置０ａにおける上記トナー画像形成手段１と同様であり、その説明が重複するので、以下の説明は省略する。
上記電波利用のインターフエース手段４そのものが、例えば、図示のように、使用するＩＣカード４ｂにアンテナ４ｃを持つ場合等、電装基板包括用筐体アンテナ３ａ、外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、又は、外側裏面筐体アンテナ３ｂ６のアンテナ機能が不要になった場合には、電装基板包括用筐体端子５ａ、外側面端子５ｂの上記外周面全体包括端子５ｂ０、外側上面端子５ｂ１、外側下面端子５ｂ２、外側左面端子５ｂ３、外側右面端子５ｂ４、外側正面端子５ｂ５、又は、外側裏面端子５ｂ６にそれぞれの全て、又は、選択的にショート端子７を接続することで、上記電装基板包括用筐体アンテナ３ａ、外周面全体包括筐体アンテナ３ｂ０、外側上面筐体アンテナ３ｂ１、外側下面筐体アンテナ３ｂ２、外側左面筐体アンテナ３ｂ３、外側右面筐体アンテナ３ｂ４、外側正面筐体アンテナ３ｂ５、又は、外側裏面筐体アンテナ３ｂ６のアンテナ機能が無効になり、不必要な上記トナー画像形成手段１の周囲における電波の漏洩が防止されて、電波の漏洩による異常画像の発生が無くなり更に高品質の画像を形成する低コストの画像形成装置０ｄを提供することができるようになった。
【００２１】
【発明の効果】
本発明は、以上説明したように構成されているので、請求項１の発明によれば、基本機能に、電波利用のインターフエース機能を追加して、トナー画像を形成する場合にも、予めアンテナを形成する構成が簡単で、電波の送受信感度が良好で、高品質の画像を形成する低コストの画像形成装置を提供することが出来るようになった。
請求項２の発明によれば、基本機能に、電波利用のインターフエース機能を追加して、トナー画像を形成する場合にも、予め電装基板包括用筐体にアンテナを形成する構成が簡単で、電波の送受信感度が良好で、高品質の画像を形成する低コストの画像形成装置を提供することが出来るようになった。
請求項３の発明によれば、基本機能に、電波利用のインターフエース機能を追加して、トナー画像を形成する場合にも、予め電装基板包括用筐体にアンテナと電装基板包括用筐体端子を形成する構成が簡単で、電波の送受信感度が良好で、高品質の画像を形成する低コストの画像形成装置を提供することが出来るようになった。
請求項４の発明によれば、基本機能に、電波利用のインターフエース機能を追加して、トナー画像を形成する場合にも、予めアンテナを兼用して形成する構成が簡単で、電波の送受信感度が良好で、高品質の画像を形成する更に低コストの画像形成装置を提供することが出来るようになった。
請求項５の発明によれば、基本機能に、電波利用のインターフエース機能を追加して、トナー画像を形成する場合にも、予め外装カバーにアンテナを形成する構成が簡単で、電波の送受信感度が良好で、高品質の画像を形成する低コストの画像形成装置を提供することが出来るようになった。
【００２２】
請求項６の発明によれば、基本機能に、電波利用のインターフエース機能を追加して、トナー画像を形成する場合にも、予め外装カバーにアンテナの外側面筐体アンテナと外側面端子を形成する構成が簡単で、電波の送受信感度が良好で、高品質の画像を形成する低コストの画像形成装置を提供することが出来るようになった。
請求項７の発明によれば、基本機能に、電波利用のインターフエース機能を追加して、トナー画像を形成する場合にも、予め外装カバーにアンテナの外側面筐体アンテナの外周面全体包括筐体アンテナと外側面端子を形成する構成が簡単で、電波の送受信感度が更に良好で、高品質の画像を形成する低コストの画像形成装置を提供することが出来るようになった。
請求項８の発明によれば、基本機能に、電波利用のインターフエース機能を追加して、トナー画像を形成する場合にも、予め外装カバーにアンテナの外側面筐体アンテナの外周面全体包括筐体アンテナと外側面端子の外周面全体包括端子を形成する構成が簡単で、電波の送受信感度が更に良好で、高品質の画像を形成する低コストの画像形成装置を提供することが出来るようになった。
請求項９の発明によれば、基本機能に、電波利用のインターフエース機能を追加して、トナー画像を形成する場合にも、予め外装カバーにアンテナの外側面筐体アンテナの外側上面筐体アンテナと外側面端子を形成する構成が簡単で、外側上面方位からの電波の送受信感度が更に良好で、高品質の画像を形成する低コストの画像形成装置を提供することが出来るようになった。
請求項１０の発明によれば、基本機能に、電波利用のインターフエース機能を追加して、トナー画像を形成する場合にも、予め外装カバーにアンテナの外側面筐体アンテナの外側上面筐体アンテナと外側面端子の外側上面端子を形成する構成が簡単で、外側上面方位からの電波の送受信感度が更に良好で、高品質の画像を形成する低コストの画像形成装置を提供することが出来るようになった。
【００２３】
請求項１１の発明によれば、基本機能に、電波利用のインターフエース機能を追加して、トナー画像を形成する場合にも、予め外装カバーにアンテナの外側面筐体アンテナの外側下面筐体アンテナと外側面端子を形成する構成が簡単で、外側下面方位からの電波の送受信感度が更に良好で、高品質の画像を形成する低コストの画像形成装置を提供することが出来るようになった。
請求項１２の発明によれば、基本機能に、電波利用のインターフエース機能を追加して、トナー画像を形成する場合にも、予め外装カバーにアンテナの外側面筐体アンテナの外側下面筐体アンテナと外側面端子の外側下面端子を形成する構成が簡単で、外側下面方位からの電波の送受信感度が更に良好で、高品質の画像を形成する低コストの画像形成装置を提供することが出来るようになった。
請求項１３の発明によれば、基本機能に、電波利用のインターフエース機能を追加して、トナー画像を形成する場合にも、予め外装カバーにアンテナの外側面筐体アンテナの外側左面筐体アンテナと外側面端子を形成する構成が簡単で、外側左面方位からの電波の送受信感度が更に良好で、高品質の画像を形成する低コストの画像形成装置を提供することが出来るようになった。
請求項１４の発明によれば、基本機能に、電波利用のインターフエース機能を追加して、トナー画像を形成する場合にも、予め外装カバーにアンテナの外側面筐体アンテナの外側左面筐体アンテナと外側面端子の外側左面端子を形成する構成が簡単で、外側左面方位からの電波の送受信感度が更に良好で、高品質の画像を形成する低コストの画像形成装置を提供することが出来るようになった。
請求項１５の発明によれば、基本機能に、電波利用のインターフエース機能を追加して、トナー画像を形成する場合にも、予め外装カバーにアンテナの外側面筐体アンテナの外側右面筐体アンテナと外側面端子を形成する構成が簡単で、外側右面方位からの電波の送受信感度が更に良好で、高品質の画像を形成する低コストの画像形成装置を提供することが出来るようになった。
請求項１６の発明によれば、基本機能に、電波利用のインターフエース機能を追加して、トナー画像を形成する場合にも、予め外装カバーにアンテナの外側面筐体アンテナの外側右面筐体アンテナと外側面端子の外側右面端子を形成する構成が簡単で、外側右面方位からの電波の送受信感度が更に良好で、高品質の画像を形成する低コストの画像形成装置を提供することが出来るようになった。
【００２４】
請求項１７の発明によれば、基本機能に、電波利用のインターフエース機能を追加して、トナー画像を形成する場合にも、予め外装カバーにアンテナの外側面筐体アンテナの外側正面筐体アンテナと外側面端子を形成する構成が簡単で、外側正面方位からの電波の送受信感度が更に良好で、高品質の画像を形成する低コストの画像形成装置を提供することが出来るようになった。
請求項１８の発明によれば、基本機能に、電波利用のインターフエース機能を追加して、トナー画像を形成する場合にも、予め外装カバーにアンテナの外側面筐体アンテナの外側正面筐体アンテナと外側面端子の外側正面端子を形成する構成が簡単で、外側正面方位からの電波の送受信感度が更に良好で、高品質の画像を形成する低コストの画像形成装置を提供することが出来るようになった。
請求項１９の発明によれば、基本機能に、電波利用のインターフエース機能を追加して、トナー画像を形成する場合にも、予め外装カバーにアンテナの外側面筐体アンテナの外側裏面筐体アンテナと外側面端子を形成する構成が簡単で、外側裏面方位からの電波の送受信感度が更に良好で、高品質の画像を形成する低コストの画像形成装置を提供することが出来るようになった。
請求項２０の発明によれば、基本機能に、電波利用のインターフエース機能を追加して、トナー画像を形成する場合にも、予め外装カバーにアンテナの外側面筐体アンテナの外側裏面筐体アンテナと外側面端子の外側裏面端子を形成する構成が簡単で、外側裏面方位からの電波の送受信感度が更に良好で、高品質の画像を形成する低コストの画像形成装置を提供することが出来るようになった。
請求項２１の発明によれば、基本機能に、電波利用のインターフエース機能を追加して、トナー画像を形成する場合にも、予めアンテナを形成する構成が簡単で、何れか選択した感度の良い方位からの電波の送受信感度が更に良好で、高品質の画像を形成する低コストの画像形成装置を提供することが出来るようになった。
請求項２２の発明によれば、基本機能に、電波利用のインターフエース機能を追加して、トナー画像を形成する場合にも、予めアンテナを形成する構成が更に簡単で、何れか選択した感度の良い方位からの電波の送受信感度が更に良好で、高品質の画像を形成する低コストの画像形成装置を提供することが出来るようになった。
請求項２３の発明によれば、基本機能に、電波利用のインターフエース機能を追加して、トナー画像を形成する場合にも、予めアンテナを形成する構成が簡単で、電波の送受信感度が良好で、不必要なトナー画像形成手段の周囲における電波の漏洩が防止されて電波の漏洩による異常画像の発生が無くなり、更に高品質の画像を形成する低コストの画像形成装置を提供することが出来るようになった。
【図面の簡単な説明】
【図１】本発明の実施の形態例を示す画像形成装置の主要部を説明する後側斜視図。
【図２】本発明の実施の形態例を示す画像形成装置を説明する説明図。
【図３】本発明の他の実施の形態例を示す画像形成装置の主要部を説明する裏側斜視図。
【図４】本発明の他の実施の形態例を示す画像形成装置の主要部を説明する裏側斜視図。
【図５】本発明の他の実施の形態例を示す画像形成装置の主要部を説明する裏側斜視図。
【符号の説明】
０　画像形成装置、０ａ　画像形成装置、
０ａ１　本体フレーム、
０ａ２　前フレーム、
０ｂ　画像形成装置、
０ｃ　画像形成装置、
０ｄ　画像形成装置
１　トナー画像形成手段、１ａ　像担持体ユニット、１ａ１　回動ローラ、
１ａ２　回動ローラ、
１ｂ　帯電ユニット、
１ｃ　潜像形成ユニット、
１ｄ　現像ユニット、
１ｅ　中間転写ユニット、１ｅ１　回動ローラ、
１ｅ２　回動ローラ、
１ｅ３　バイアスローラ、
１ｅ４　転写ローラ、
１ｆ　定着ユニット、
１ｇ　クリーニングユニット、
１ｇ１　像担持体クリーニングユニット、
１ｇ１１　クリーニングブレード、
１ｇ２　中間クリーニングユニット、
１ｇ２１　クリーニングブレード、
１ｇ２２　クリーニン装置、
１ｇ２３　オーガ、
１ｇ３　廃棄トナー回収用器、
１ｈ　電装ユニト、
１ｉ　給紙台、１ｉ１　給紙ローラ、
１ｉ２　搬送ローラ対、
１ｉ３　レジストローラ対、
１ｉ１　転写ローラ、
１ｊ　排紙ローラ対、
１ｋ　排紙スタック、
１ｌ　プロセスカートリッジ
２　筐体、２ａ　電装基板包括用筐体、
２ｂ　外装カバー、２ｂ１　外周面、２ｂ１１　外側上面、
２ｂ１２　外側下面、
２ｂ１３　外側左面、
２ｂ１４　外側右面、
２ｂ１５　外側正面、
２ｂ１６　外側裏面
３　筐体アンテナ、３ａ　電装基板包括用筐体アンテナ、
３ｂ　　外側面筐体アンテナ、
３ｂ０　外周面全体包括筐体アンテナ、
３ｂ１　外側上面筐体アンテナ、
３ｂ２　外側下面筐体アンテナ、
３ｂ３　外側左面筐体アンテナ、
３ｂ４　外側右面筐体アンテナ、
３ｂ５　外側正面筐体アンテナ、
３ｂ６　外側裏面筐体アンテナ
４　電波利用のインターフエース手段、４ａ　選択接続手段、
４ａ１　コネクタ、
４ａ２　アンテナコード、
４ｂ　ＩＣカード、
４ｃ　アンテナ
５　端子、５ａ　電装基板包括用筐体端子
５ｂ　外側面端子、５ｂ０　外周面全体包括端子、
５ｂ１　外側上面端子、
５ｂ２　外側下面端子、
５ｂ３　外側左面端子、
５ｂ４　外側右面端子、
５ｂ５　外側正面端子、
５ｂ６　外側裏面端子
６　電装基板
７　ショート端子
【図１】
2004017330.tif 000003
【図２】
2004017330.tif 000004
【図３】
2004017330.tif 000005
【図４】
2004017330.tif 000006
【図５】
2004017330.tif 000007